(57)【特許請求の範囲】
【請求項１】
水平方向に設けられた複数の棒状のシャッター部材を、リンクを介して互いに連結してグリル状のシャッターカーテンを構成したグリルシャッターにおいて、
シャッターカーテンを形成する複数のカーテン用パイプ内にそれぞれ挿入されて、このカーテン用パイプ内で摺動可能な複数の棒状のシャッター部材を連結してなる潜り戸と、このシャッター部材に形成された凹部ないしは穴部に挿入されるロック用出没片を含むロック装置と、を少なくとも1箇所に備え、
前記潜り戸は、前記シャッター部材が、カーテン用パイプ内に挿入されて摺動して前記カーテン用パイプに沿って移動することで、シャッターに設けた開閉口を開閉することが可能であり、この開閉口を閉鎖した状態でロック用出没片が前記凹部ないしは穴部に嵌入することにより潜り戸を閉位置に保持し、
前記シャッター部材が挿入される前記カーテン用パイプ内には、前記潜り戸を開方向又は閉方向に付勢するための弾性体が設けられていることを特徴とするグリルシャッター装置。
【請求項２】
前記弾性体は、原形状に戻る方向に付勢された圧縮コイルバネ、又は、巻回され、巻き戻す方向に付勢されたワイヤであることを特徴とする請求項１に記載のグリルシャッター装置。
【請求項３】
前記潜り戸は、前記シャッターカーテンの一部に形成されるもので、カーテン用パイプが設置されていない開口部を開閉する引戸であって、
この潜り戸の戸先側では、前記シャッター部材がリンクを介して互いに連結され、一方、戸尻側では、シャッター部材がカーテン用パイプ内に挿入されて摺動自在に保持され、
潜り戸の閉時には、戸先側のシャッター部材の先端が、このシャッター部材に対向するように設けられた戸先側カーテン用パイプ内に挿入されることを特徴とする請求項１又は２に記載のグリルシャッター装置。
【請求項４】
潜り戸の戸先側のシャッター部材の端部近傍には、前記孔部又は凹部が設けられ、
前記戸先に近接するカーテン用パイプには、前記孔部又は凹部に挿入されるロック用出没片を有するロック装置が保持されていることを特徴とする請求項１から３のいずれかに記載のグリルシャッター装置。
【請求項５】
潜り戸を構成する前記シャッター部材に固定された潜り戸用リンクを介してガイド筒が設けられ、このガイド筒には、潜り戸に隣接するシャッター部材が挿入されないカーテン用パイプが挿通していることを特徴とする請求項１から４のいずれかに記載のグリルシャッター装置。
【請求項６】
前記シャッターカーテンの下端に防潮板又は座板を備えていることを特徴とする請求項１から５のいずれかに記載のグリルシャッター装置。
【請求項７】
前記シャッターカーテンを構成するカーテン用パイプを連結するリンク部材と、潜り戸のシャッター部材を連結する潜り戸用リンク部材とを互いに固定する固定手段を設け、潜り戸を開位置又は閉位置に保持することを特徴とする請求項１から５のいずれかに記載のグリルシャッター装置。
【発明の詳細な説明】
【技術分野】
【０００１】
本発明は潜り戸付グリルシャッター装置に関し、詳細には、シャッターカーテンの閉鎖時であっても、シャッターを開けることなく人が出入りできる構造のものに関する。
【背景技術】
【０００２】
複数本のシャッターパイプを、リンクプレートを介して連結し、格子状のシャッターカーテンを構成してなるグリルシャッターが公知である。このグリルシャッターは、このシャッターにより開閉される店舗や事務所等の内部が視認できる状態としつつ、防犯などを目的として店舗等の間口の開閉に使用される。
ところで、シャッターは構造上、シャッターカーテンが閉鎖された状態では人の通過ができないので、シャッターの閉鎖時には、別途設けた出入り口から出入りするのが一般的であった（特許文献１）。例えば、店舗であれば、シャッターにより出入り口が閉鎖された店舗等の内部に出入りする場合は、シャッターとは別に、内部に通じる開口部（ドア等）を設け、この部分から出入りをするようにしていた。
【先行技術文献】
【特許文献】
【０００３】
【特許文献１】特開2011-117226号公報
【発明の概要】
【発明が解決しようとする課題】
【０００４】
しかしながら、間口の小さい店舗等では、シャッターとは別の開口部（ドア等）を設置することが困難な場合がある。この場合、閉店後においてシャッターを閉じた後は、再びシャッターを開閉させて出入りしなければならないが、開閉操作に時間がかかり面倒である。
【０００５】
本発明は、上記の問題を解決するためされたもので、シャッターの閉鎖時においても出入りを自由に行うことができる潜り戸付グリルシャッター装置を提供することを課題とする。
【課題を解決するための手段】
【０００６】
この課題達成のため、本発明は次のような構成とした。すなわち、水平方向に設けられた複数の棒状のシャッター部材を、リンクを介して互いに連結してグリル状のシャッターカーテンを構成したグリルシャッターにおいて、
シャッターカーテンを形成する複数のカーテン用パイプ内にそれぞれ挿入されて、このカーテン用パイプ内で摺動可能な複数のシャッター部材を連結してなる潜り戸と、前記シャッター部材に形成された凹部ないしは穴部に挿入されるロック用出没片を含むロック装置と、を少なくとも１箇所に備え、
前記潜り戸は、前記シャッター部材が、カーテン用パイプ内に挿入されて摺動して前記カーテン用パイプに沿って移動することで、シャッターに設けた開閉口を開閉することが可能であり、この開閉口を閉鎖した状態でロック用出没片が前記凹部ないしは穴部に嵌入することにより潜り戸を閉位置に保持することを特徴とする。
【０００７】
本発明に係るグリルシャッターでは、シャッター装置が閉状態であっても、シャッターカーテンに設けた潜り戸を手動で動かすことができ、シャッターカーテンに設けた開閉口を容易に開閉し、出入りすることができる。
【０００８】
前記潜り戸は、前記シャッターカーテンの一部に形成されるもので、カーテン用パイプが設置されていない開口部を開閉する引戸であって、
この潜り戸の戸先側では、前記シャッター部材がリンクを介して互いに連結され、一方、戸尻側では、シャッター部材がカーテン用パイプ内に挿入されて摺動自在に保持され、潜り戸の閉時には、戸先側のシャッター部材の先端が、このシャッター部材に対向するように設けられた戸先側カーテン用パイプ内に挿入されるように構成することができる。
【０００９】
上記のように、前記潜り戸は、カーテン用パイプに挿入されて摺動するシャッター部材を連結してなるもので、カーテン用パイプに支持されてシャッターカーテンと一体化しているため、シャッターカーテンの開閉に支障を及ぼすことがない。
【００１０】
前記潜り戸の戸先側のシャッター部材の端部近傍には、前記孔部又は凹部が設けられ、前記戸先に近接するカーテン用パイプには、前記孔部又は凹部に挿入されるロック用出没片を有するロック装置が保持されるようにすることができる。
また、潜り戸が開いた状態において、潜り戸の戸先側に設けた潜り戸用リンクプレートを、前記シャッターカーテンを構成するカーテン用パイプを連結するリンクプレートと潜り戸のシャッター部材を連結する潜り戸用リンクプレートとを互いに固定することで、潜り戸が開位置に保持されるようにしてもよい。
【００１１】
本発明は、前記潜り戸を構成する前記シャッター部材に固定された潜り戸用リンクを介してガイド筒が設けられ、このガイド筒には、潜り戸に隣接するシャッター部材が挿入されないカーテン用パイプが挿通している構成とすることができる。
このような構成にすれば、潜り戸の移動がガイド筒によりガイドされ、潜り戸に生じる応力によってシャッター部材が湾曲変形することを抑制できる。したがって、シャッター部材が変形し、その一端がカーテン用パイプに挿入できなくなるような事態が防止され、潜り戸の円滑な開閉動作を確保できる。
【００１２】
前記シャッターカーテンの下端に防潮板又は座板を備えるものとすることができる。防潮板は、開閉装置が設置された間口に設けて、外部の水が建物等の内部に浸入するのを防ぐものである。
【００１３】
前記シャッター部材が挿入される前記カーテン用パイプ内には、前記潜り戸を開方向又は閉方向に付勢するための弾性体を設けることができる。これを閉方向に付勢するための弾性体を設ければ、潜り戸を開くとき、弾性体の付勢力により閉状態に保持されている潜り戸を、弾性体の付勢力に反して開方向に移動させることになるが、潜り戸から手を離したときには、潜り戸が自動的に閉方向に移動して閉状態に復帰する。よって、潜り戸の閉め忘れを防止することができる。
なお、上記の場合の弾性体は、いわゆる圧縮バネのように、圧縮された状態から原形状に復帰するものであるが、この弾性体を、潜り戸が閉じる方向に移動すると伸張するもの、例えば引っ張りバネとすることで、潜り戸を開方向に、常時、付勢する構造とすることもできる。このようにすれば、潜り戸のロックを外せば、これが自動で開くことになる。
【発明の効果】
【００１４】
以上のように本発明によれば、シャッターカーテンが閉じた状態でも人の出入りが迅速に可能であるので、シャッター閉鎖時の出入り口を別途設ける必要がない。
また、潜り戸を、常時、閉鎖方向に付勢しておけば、潜り戸の閉め忘れの防止になり、かつ、開閉時に潜り戸を閉じる手間が省ける。
【図面の簡単な説明】
【００１５】
【図１】本発明の実施形態１に係る潜り戸付グリルシャッターの全体を示す図であって、（a）は潜り戸の閉状態を示し、(b)は潜り戸の開状態を示す。
【図２】図１におけるＡ部分の拡大図であって、潜り戸を閉状態に保持するためのロック部分を示す図であり、(a)はその正面図、(b)は(a)のＡ−Ａ線断面図である。
【図３】図１(a)におけるＢ部分の拡大図であって、潜り戸の戸尻部分においてシャッター部材がカーテン用パイプに挿入されている状態を示す図である。
【図４】本発明の実施形態２に係る潜り戸付グリルシャッターの全体を示す図であって、（a）は潜り戸の閉状態を示し、(b)は潜り戸の開状態を示す。
【図５】図４におけるＣ部分の拡大図であって、閉状態における潜り戸のシャッター部材の端部が、戸先側カーテン用パイプに挿入されている状態を示す図である。(a)はその正面図、(b)は(a)のＢ−Ｂ線断面図である。
【図６】図４におけるＤ部分の拡大図であって、閉状態における潜り戸のシャッター部材の端部が、戸先側カーテン用パイプに挿入されている状態を示す図である。
【図７】図１に示すグリルシャッターの側面図である。
【図８】グリルシャッターのカーテンロック機構の概要を示す図である。
【図９】潜り戸の閉位置への自動戻し機構の概要を示す図である。
【発明を実施するための最良の形態】
【００１６】
以下、本発明の実施形態について図面を参照して説明する。
（実施形態１）
図１は、実施形態１に係る電動式グリルシャッター装置の全体正面図である。図１において（a）は潜り戸２の閉状態を示し、(b)は潜り戸２の開状態を示す。
【００１７】
本発明に係るグリルシャッター装置１は、店舗等の開口部（出入り口）１０１を開閉自在に仕切るグリルシャッターカーテン（開閉体）１２を備えている。このグリルシャッター装置１は、その中央部には潜り戸２が設けられ、その閉鎖時であっても、グリルシャッターカーテン１２を上下動させることなく、人が、前記潜り戸２を介して出入りをすることができる。
【００１８】
（グリルシャッター装置１）
グリルシャッター装置１は、従来の一般的なシャッター装置と同様に、その上部にシャッターカーテン１２を巻き取って収納することが可能なシャッターケース１4、及び、左右端のガイドレール１５等を備えている。
【００１９】
前記シャッターカーテン１２の上端は、シャッターケース１４内の巻取シャフト１７（図７）に連結され、このシャッターカーテン１２が巻き上げられ、あるいは、巻き戻される。そして、シャッターカーテン１２の両端は、開口の左右両側に立設したガイドレール１５、１５内で昇降することにより、開口部１０１の開閉動作を行うことができる。
【００２０】
（シャッターケース１４）
さらに詳細には、前記シャッターケース１4は、グリルシャッター装置１の最上部であって、建造物の天井部内に位置している。このシャッターケース１4の内部には、左右のブラケットで、回転自在に水平に支持された巻取シャフト１７（図７）が収納され、この巻取シャフト１７にシャッターカーテン１２の上端が結合されている。この巻取シャフト１７には、ギヤードモータからなる減速機付の巻取モータを備えた開閉機１８が接続されている。このシャッターカーテン１２の開閉機１８の駆動に伴い、巻取シャフト１７が回転することで、開状態のシャッターカーテン１２を巻き取り、これをシャッターケース１４内に収容する。または、反対に開閉機１８に巻き取られたシャッターカーテン１２を下方に進出させ、これにより開口部１０１を塞いで閉状態とする。
【００２１】
（シャッターカーテン１２）
シャッターカーテン１２の左右方向の幅方向両端部は、ガイドレール１５、１５の内部にスライド自在に挿入されている。そのため、シャッターカーテン１２は、これらのガイドレール１５、１５に案内されて移動可能である。ここでは、ガイドレール１５、１５は、シャッターカーテン１２の左右の両端部をガイドするように、前記シャッターケース１４の両端部の各々から下方に延出して設けられている。
また、図示しない前記巻取モータにはブレーキが備えられ、ブレーキロックにより巻取軸１７の回転が停止する。
【００２２】
このシャッターカーテン１２は、水平方向に並んだ複数のカーテン用パイプ１９を、所定間隔をおいて、開閉方向に延びる複数のリンク部材２０により連結して構成されている。これらのカーテン用パイプ１９は中空であり、上記のように、水平な姿勢のまま、開閉方向に所定間隔をおいて配列され、その両端がガイドレール１５，１５に挿入された状態で、その前後を摺動自在に支持されて上下方向にガイドされる。
【００２３】
（潜り戸２）
この実施の形態では、図１(a)(b)に示すように、シャッターカーテン１２の中央部に、人が通過可能な程度の大きさの長方形状の通路用開口部１０２が設けられている。この通路用開口部１０２には、シャッターカーテン１２と同様に、複数の棒状のシャッター部材２１を、潜り戸用リンク２２で連結して構成された潜り戸２が設けられている。すなわち、潜り戸２は、シャッターカーテン１２とほぼ同じ構成であり、複数の棒状の長尺体よりなるシャッター部材２１と、これらのシャッター部材２１を連結する複数の潜り戸用リンク２２と、を備えている。前記シャッター部材２１の各々は中実のシャッター部材であり、図３に示すように、シャッターカーテン１２のカーテン用パイプ１９と同一のピッチで配置されている。なお、シャッター部材２１は、中空のものであってもよい。
前記潜り戸２の大きさは、人が出入りできる寸法であればよく、通常、高さ1,800mm、幅750mm程度が好適である。
【００２４】
図３(a)は、図１(b)における円Bで示す部分の拡大図である。潜り戸のシャッター部材２１は、前述のように断面円形の中実の丸棒であるが、その直径はカーテン用パイプ１９の内径よりも小さく形成されている。そして、潜り戸２の戸尻側のシャッター部材２１の端部は、図３(a)(b)に示すように、中空のカーテン用パイプ１９内に、摺動自在に挿入されている。このようにして、潜り戸２の戸尻側は、カーテン用パイプ１９を介しシャッターカーテン１２と一体的に支持されている。
【００２５】
図２(a)は、図１(a)における円Aで示す部分の拡大図である。潜り戸２の戸先側は、図１(b)及び図１(a)に示すように、潜り戸２が閉じられた状態では、各シャッター部材２１の一端が、シャッターカーテン１２側のカーテン用パイプ１９の内部に挿入されている。すなわち、潜り戸２が閉じられた状態では、戸先側と戸尻側のいずれにおいても、潜り戸のシャッター部材２１がカーテン用パイプ１９の内部に挿入され、シャッターカーテン１２に両端が保持され、潜り戸２は、シャッターカーテン１２と一体化するように支持されている。
【００２６】
図１(b)に示すように、潜り戸2を開放した場合において、戸先側の複数のシャッター部材２１の一端は、それぞれカーテン用パイプ１９内から抜け出るが、これらのシャッター部材２１は、その大部分がカーテン用パイプ１９内に挿入された状態となる。したがって、潜り戸２は、シャッターカーテン１２と重なり合うようになり、これに全体が保持される。
上記のように、潜り戸２のシャッター部材２１は、カーテン用パイプ１９内を摺動するが、この摺動性を良好にするために、シャッター部材２１の外周面及び／又はカーテン用パイプの内周面に樹脂加工やメッキ加工を施してもよい。
【００２７】
（ロック装置２３）
潜り戸２が閉じられた状態において、図１(a)及び図２(a)に示すように、戸先側のシャッター部材２１の先端は、カーテン用パイプ１９内に挿入されているが、隣り合うカーテン用パイプ１９、１９の間には、潜り戸用のロック装置２３が、上下に二箇所において設けられている。図２(a）には、潜り戸の戸先側の潜り戸用のロック装置２３の設置部分が示されている。図２(b)は、(a)におけるＡ−Ａ線断面図である。潜り戸用のロック装置２３は、カーテン用パイプ１９の外周面に装着固定され、断面が半円状の支持具２４により、カーテン用パイプ１９、１９の間の空間に固定される。
【００２８】
一方、前記潜り戸用のロック装置２３が固定された前記カーテン用パイプ１９に挿入されるシャッター部材２１の先端には、その側面に孔部２５が形成されている。潜り戸２が閉められた状態において、この孔部２５に対向する位置のカーテン用パイプ１９の側面には、貫通孔２６が設けられている。ここで、孔部２５は凹部としてもよい。
【００２９】
また、潜り戸用のロック装置２３は、鍵ケースのシリンダ２７に差込んだキーの操作によって、上下方向に出没するデッドボルト２８が設けられている。潜り戸２の閉時には、キー操作によってデッドボルト２８が、前記貫通孔２６を介して、シャッター部材２１の前記孔部２５内に到達するように構成されている。このようなキーの操作によって、潜り戸２を図１(a)に示す閉位置においてロックすることができる。
なお、潜り戸用ロック装置は上記の構造のものに限定されることはなく、例えば、潜り戸２の閉時に互いに近接するリンク部材２０と潜り戸用リンク２２とを離間しないように固定する構造のもの等、他の構造のものを用いてもよい。
【００３０】
（防潮板１６）
防潮板（防水板又は止水板）１６は、建造物の入り口等に設置して、建造物内への浸水を防止する止水機能を有するものである。このシャッター装置１は、シャッターカーテン１２の下端に防潮板１６を備えているタイプであって、店舗の出入り口に限らず、地下通路等の入口等にも好適に設置することができる。このとき、シャッター装置１の設置場所が、例えば豪雨や高潮などによる浸水の危険に晒され、店舗や通路への浸水防止を図るため防潮板１６付きのシャッターカーテン１２が閉じられた場合でも、潜り戸２を開閉することで緊急時の通行を確保することができる。
【００３１】
このシャッター装置１では、停電などによって電力の供給が停止し、シャッターカーテン１２が閉じた状態からこれを開くことができず、人の出入りが困難になった場合には、上記した潜り戸用のロック装置２３によるロックを解除し、潜り戸２の自由な開閉を可能にすれば、この開口部を出入口通路として利用することができる。
【００３２】
（実施形態２）
図４は、本発明に係る手動式グリルシャッター開閉体装置の実施形態２を示す図である。
手動式の場合は、巻き取りシャフト内に設けたコイルバネでグリルシャッターカーテンの重量をバランスさせ、軽い力で人が開閉させることが可能となっている。図４に示した手動式グリルシャッター装置の基本的な構成は、図１に示される実施形態１のグリルシャッター装置と略同じである。しかし、この手動式グリルシャッター装置は、複数のカーテン用パイプ１９を連結保持するリンク部材２２が上下方向に連なるように３箇所に設けられ、また、潜り戸２の開閉動作をガイドするガイド筒を備え、さらに、シャッターカーテン１２の下端に座板を有する構造である点で実施態様１のものと相違する。
そこで、ここでは、上記相違点を中心に説明する。なお、実施形態１のグリルシャッター装置と同一の部分については、同一の符号を付して、その説明を省略する。
また、実施形態２のグリルシャッター装置は、勿論、電動式とすることもできる。
【００３３】
この実施形態２のシャッターでは、図４に示すように、シャッターカーテン１２の右側に、人が通過可能な程度の大きさの長方形状の通路用開口部１０２が設けられている。この通路用開口部１０２には潜り戸３が設けられている。この実施形態２に係る潜り戸３の基本的構成は、実施形態１のものと同一である。
【００３４】
（潜り戸の設置）
実施形態２のシャッターは、比較的間口が狭く、グリルシャッター装置１のシャッターカーテン１２の複数を連結保持するリンク部材２０は、上下方向に所定間隔をおいて３箇所に設けられている（実施形態１では４箇所）。このとき、シャッターカーテン１２は４つに仕切られるが、シャッターカーテン１２の左右端部は幅が狭いため潜り戸を設置できない。したがって、潜り戸が設置可能な通路用開口部は、その中心から右側又は左側のどちらか一方となる。この場合、シャッターカーテン１２の中心から左側及び右側の双方に、通路用開口部を設置可能な幅があれば、左右側のいずれか一方に潜り戸を設けることが可能である。したがって、比較的間口の狭い店舗等におけるグリルシャッター装置についても、潜り戸の設置が可能である。
また、開口部の幅が大きい場合、つまりリンク部材を５箇所以上に設ける構造では、潜り戸を２箇所以上に設置できる。このとき、リンク部材の設置位置としては、例えば、左右のガイドレール近傍、中央部近傍の３箇所に加え、さらに1つを左レール側近傍、もう1つを中央部近傍に設けることができる。
【００３５】
（ガイド筒２９a、２９ｂ）
この実施形態２では、図５に示すように、この潜り戸３では、潜り戸３を構成する最上端のシャッター部材２１(先端が右方のカーテン用パイプ１９内に挿入)の上方に、このシャッター部材２１に固定された潜り戸用リンク２２を介して、ガイド筒２９ａが設けられている。このガイド筒２９ａ内には、潜り戸３の上方に位置する他のカーテン用パイプ１９が挿通している。この他のカーテン用パイプ１９は、潜り戸３の最上端のシャッター部材２１の上方に位置するものである。図５(a)は図４(a)における円Ｃで示す部分の拡大図、(b)はそのＥ−Ｅ線の断面図である。
【００３６】
また、図６に示すように、この潜り戸３では、潜り戸３を構成する最下端のシャッター部材２１(先端が右方のカーテン用パイプ１９内に挿入)の下方に、このシャッター部材２１に固定された潜り戸用リンク２２を介して、ガイド筒２９ｂが設けられている。このガイド筒２９ｂ内には、潜り戸３の下方に位置する他のカーテン用パイプ１９が挿通している。この他のカーテン用パイプ１９は、潜り戸３の最下端のシャッター部材２１の下方に位置するものである。図６は図４(a)における円Ｄで示す部分の拡大図である。
【００３７】
ガイド筒２９ａ、２９ｂは、カーテン用パイプ１９に沿って摺動自在であって、潜り戸３の開閉動作時には潜り戸３のシャッター部材２１の移動に伴って、このガイド筒２９ａ、２９ｂも前記カーテン用パイプ１９に沿って移動する。このガイド筒２９ａ、２９ｂを設けることで、潜り戸３の戸先側は、その上下のカーテン用パイプ１９、１９に連結させて支持される。このようにすれば、潜り戸３に生じる応力によって、潜り戸のシャッター部材２１が湾曲変形することを抑制できるので、シャッター部材２１が変形し、その一端がカーテン用パイプ１９に挿入できなくなるような事態が防止され、潜り戸３の円滑な開閉動作を確保することが可能となる。
なお、この実施形態２では、ガイド筒２９ａ、２９ｂは、潜り戸３の上下の両方に設けられているが、このガイド筒２９ａ、２９ｂを上下の一方側のみに設ける構成としてもよい。
【００３８】
（座板）
実施形態１では、シャッター部材２１の下端に防潮板を設けた例を示したが、実施形態２では、シャッター部材２１の下端に、一般に広く使用されている座板３４が配設されている。カーテンの下端に装着される座板３４は、シャッターの設置場所の開口部１０２の全幅に亘って下方に延出する長尺状の座板本体部（図示せず）と、座板本体部から一体的に立ち上がるように形成された長尺状の連結部（図示せず）と、を備え、概ね断面視逆Ｔ形状に一体形成される。座板は、長尺状の連結部を介して、シャッターカーテン１２の下端に連結され、開口部の全閉時には座板本体部が着床する。
なお、このシャッター装置１が電動式の場合は、シャッターカーテン１２の下降動作中に座板センサ（図示せず）が物や人を感知すると、シャッターカーテン１２の下降動作を停止するための障害物感知装置を含んでいる。
【００３９】
また、座板センサは、シャッターカーテン１２の座板１６が床面(地面)に接地しているか否かを検出する。この座板センサは、例えば、石等の障害物があり、シャッターカーテン１２が完全に閉状態とならないとき等は、非閉状態であることを検出する。閉状態検出センサ５２としては、公知の座板スイッチ式障害物感知装置、その他の障害物検出スイッチ等が使用できる。
【００４０】
（カーテンロック機構３０）
次に、シャッターカーテン１２の全体を閉位置にロックするためのカーテンロック機構３０について説明する。このカーテンロック機構３０は、通常、手動式のものに設置される。
シャッターカーテン１２の左右端部において、カーテン用パイプ１９とリンク部材２０で囲まれた空間の部分には、カーテンロック機構３０が設けられている。図８は、グリルシャッターのカーテンロック機構の概要を示す図である。このカーテンロック機構３０は、シャッターカーテン１２の左右両端に設けられるが、図８にはその左端のカーテンロック機構が示されている。このカーテンロック機構３０は、潜り戸が設けられていない従来のグリルシャッターで用いられるものと同様の構造である。カーテンロック機構３０は、施解錠操作のために、キー孔３２に所定のキーが差込まれるシリンダ３１を備え、このキーによる施解錠操作に連動して出没する爪部３３が設けられている。この爪部３３は、カーテンロック機構３０の端部（図８では左端）から突出可能であるが、図８では爪部３３の非突出状態が示されている。このカーテンロック機構３０の端部は、シャッターカーテン１２の左端に位置してガイドレール１５内に挿入されている。
【００４１】
シャッター装置１の設置場所の間口が閉じられるまでシャッターカーテン１２が下降して座板１６の下端が接地したとき、爪部３３はガイドレール１５内に設けられた図示しないラッチ部（爪部の受け部）と対向する状態となる。この状態で、キー操作をすれば爪部３３が前記ラッチ部に向かって突出し、その先端がラッチ部内に挿入され、シャッターカーテン１２が上下方向（開閉方向）に動かなくなり施錠が完了する。この動作は、シャッターカーテン１２の右端に設けたカーテンロック機構３０においても全く同様である。
なお、解錠するには、キー操作により、突出した爪部３３をカーテンロック機構３０内に引き入れる動作をして、爪部３３とラッチ部との係合状態を解除すればよい。
以上、一般的なシャッターカーテンのカーテンロック機構を説明したが、これは、上記のような構造のものに限定されない。
【００４２】
（潜り戸の閉位置への自動戻し機構）
図９は、潜り戸の閉位置への自動戻し機構の概要を示す図である。
潜り戸２の戸尻側のシャッター部材２１の端部は、図９に示すように、中空のカーテン用パイプ１９内に、摺動自在に挿入されている。シャッター部材２１は、例えば断面円形の中実の丸棒とされるが、その直径はカーテン用パイプ１９の内径よりも小さく形成されている。このようにして、潜り戸２の戸尻側は、カーテン用パイプ１９を介しシャッターカーテン１２により支持されている。
【００４３】
このとき、前記シャッター部材２１が挿入されるカーテン用パイプ１９内には、潜り戸を開状態にしたときに進入してくるシャッター部材２１の進行に抗して、これを押し戻す方向に付勢する弾性体３５が設けられている。
前記弾性体３５としては、圧縮により変形するが原形状に戻ろうとする復元力を備えたものであり、例えば圧縮コイルバネ等を用いることができ、このような弾性体３５を、シャッター部材２１の先端からカーテン用パイプ１９内の挿入口と反対側の端部付近までの間に設置する。このようにすれば、潜り戸２は、常時、閉状態になるように付勢され、弾性体３５の付勢力に反してこれを開くことになるが、潜り戸２から手を離したときには、潜り戸２が自動的に閉状態に復帰する。したがって、潜り戸の閉め忘れが防止されるので防犯上好ましく、かつ、通行者は潜り戸を閉める動作をする必要がなくなる。
【００４４】
なお、上記の潜り戸２の自動戻し機構は、上記のようなものの他、様々な形態のものを用いることができ、例えば、巻回され、常時、巻き戻す方向に付勢されたワイヤをシャッターカーテン側に設け、潜り戸を開くことでこのワイヤが引き出され、潜り戸は、引出されたワイヤを引き戻す作用により閉方向に戻されるような構成であってもよい。
【００４５】
電動式の場合、シャッターカーテン１２を閉じる際には、これを閉状態とするため、開閉スイッチの「閉」ボタン（図示せず）を操作すれば、巻取装置における巻取モータが駆動して、巻取軸１８が上記とは逆方向に回転し、シャッターケース１４内に収容されているシャッターカーテン１２が降下する。
【００４６】
次に、閉状態検出センサにより、シャッターカーテン１２が閉（全閉）状態となったか否かが検出される。シャッターカーテン１２が何らかの原因で閉状態にならない場合、その原因を排除し、シャッターカーテン１２を全閉させる。
また、閉状態のシャッターカーテン１２を開く場合は、開閉スイッチの「開」ボタン（図示せず）を操作すれば、この開閉機１８の駆動に伴い、巻取シャフト１７が回転することで、開状態のシャッターカーテン１２が巻き取られ、これがシャッターケース１４内に収容される。
【００４７】
（変形例）
上述の実施の形態では、開閉体であるグリルシャッターカーテンなどが下降しながら繰出されて閉鎖するシャッター装置を例に説明したが、これ以外にも開閉体が横移動方式で繰り出されたり、上昇方式で繰り出されたり、あるいは水平方式、斜め方式で繰り出されたりするもの等であっても同様に適用することができる。
また、シャッターカーテンとして、その一部がグリル状となっているものを使用することができる。
【符号の説明】
【００４８】
１  グリルシャッター装置
２  潜り戸
１２  シャッターカーテン（開閉体）
１４  シャッターケース、
１５  ガイドレール
１６  防潮板
１７  巻取シャフト
１８  開閉機
１９  中空パイプ
２０  リンク部材
２１  シャッター部材
２２  潜り戸用リンク
２３  ロック装置
２４  支持具
２５  孔部
２６  貫通孔
２７  シリンダ
２８  デッドボルト
２９  ガイド筒
３０  カーテンロック機構
３１  シリンダ
３２  キー孔
３３  爪部
３４  座板
３５  弾性体
１０1開口部（出入り口）
１０２  通路用開口部
【図１】
0006038485.tif 000002
【図２】
0006038485.tif 000003
【図３】
0006038485.tif 000004
【図４】
0006038485.tif 000005
【図５】
0006038485.tif 000006
【図６】
0006038485.tif 000007
【図７】
0006038485.tif 000008
【図８】
0006038485.tif 000009
【図９】
0006038485.tif 000010